(57)【要約】【課題】寿命が長く、点滅耐久性が高く、グレアを生じず、かつ照射光を有効に使うことができる照明器具を提供する。【解決手段】照明器具１は、第１の有機ＥＬパネル５１ａと、第２の有機ＥＬパネル５１ｂと、第１の有機ＥＬパネル５１ａおよび第２の有機ＥＬパネル５１ｂを収容するハウジング４と、第１の有機ＥＬパネル５１ａおよび第２の有機ＥＬパネル５１ｂを点灯させる点灯回路３とを備える。第１の有機ＥＬパネル５１ａおよび第２の有機ＥＬパネル５１ｂは、それぞれの発光面が間に空間を挟んで対向する状態で、ハウジング４内部に配置される。第１の有機ＥＬパネル５１ａおよび第２の有機ＥＬパネル５１ｂの、少なくとも一方の有機ＥＬパネルは、光を反射する材質から構成される反射層を備える。少なくとも一方の有機ＥＬパネルの反射層は、他方の有機ＥＬパネル点灯時に、他方の有機ＥＬパネルから放射される光を反射する。【選択図】図１
2011009385.tif 000002
【特許請求の範囲】
【請求項１】
少なくとも第１の有機ＥＬパネルと、第２の有機ＥＬパネルと、前記第１の有機ＥＬパネルおよび前記第２の有機ＥＬパネルを収容するハウジングと、前記第１の有機ＥＬパネルおよび前記第２の有機ＥＬパネルを点灯させる点灯回路とを備え、
前記第１の有機ＥＬパネルおよび前記第２の有機ＥＬパネルは、それぞれの発光面が間に空間を挟んで対向する状態で、前記ハウジング内部に配置され、
前記第１の有機ＥＬパネルまたは前記第２の有機ＥＬパネルの、少なくとも一方の有機ＥＬパネルは、光を反射する材質から構成される反射層を備え、
前記少なくとも一方の有機ＥＬパネルの前記反射層は、他方の有機ＥＬパネルの点灯時に、前記他方の有機ＥＬパネルから放射された光を反射することを特徴とする照明器具。
【請求項２】
前記第１の有機ＥＬパネルおよび前記第２の有機ＥＬパネルは、少なくとも基板と、陰極層と、有機層と、陽極層と、封止層とを備え、
前記反射層は、前記陰極層であることを特徴とする請求項１に記載の照明器具。
【請求項３】
前記第１の有機ＥＬパネルおよび前記第２の有機ＥＬパネルは、いずれも前記反射層を備えることを特徴とする請求項１または２に記載の照明器具。
【請求項４】
前記第１の有機ＥＬパネルまたは前記第２の有機ＥＬパネルは、前記ハウジング内部の上方または下方に配置されることを特徴とする請求項１ないし３のいずれか１項に記載の照明器具。
【請求項５】
前記点灯回路は、前記第１の有機ＥＬパネルまたは前記第２の有機ＥＬパネルを、それぞれ個別に点灯できるよう設計されていることを特徴とする請求項１ないし４のいずれか１項に記載の照明器具。
【請求項６】
該照明器具は、庭園灯、玄関灯または燈篭であることを特徴とする請求項１ないし５のいずれか１項に記載の照明器具。
【発明の詳細な説明】
【技術分野】
【０００１】
本発明は、有機エレクトロルミネッセンスパネルを用いる照明器具に関する。
【背景技術】
【０００２】
庭園灯、燈篭または玄関灯などの照明器具には、光源として白熱電球または電球形蛍光灯を用いるものが多い。例えば、庭園灯では、白熱電球または電球形蛍光灯を透光性のグローブで覆った照明器具が多く使用されている。また、最近では、発光ダイオードや有機エレクトロルミネッセンスを用いた庭園灯も開発されている。
【０００３】
例えば特許文献１には、乾電池を電源とし、発光ダイオードを光源とする庭園灯が紹介されている。該庭園灯は、好ましくは、発光ダイオードの発光輝度を時間的に変動させ、発光ダイオードをシェードで囲み、または本体部を陶磁器製とする。
【０００４】
また、特許文献２には、太陽電池を用いた燈篭について記載されている。該燈篭は、太陽電池装置と、該太陽電池装置により発光するＬＥＤなどの発光体とで構成される光学光源発光体を具備する。さらに、特許文献３には、太陽電池の出力を有効に利用し、悪天候の続く時期でも照明できるソーラ庭園灯が紹介されている。該ソーラ庭園灯は、制御装置により点灯が制御される蛍光灯およびエレクトロルミネッセンスを備えている。
【先行技術文献】
【特許文献】
【０００５】
【特許文献１】特開２００１−３１９５０４号公報
【特許文献２】特開２００９−０２６７２４号公報
【特許文献３】特開平０６−１８１００３号公報
【発明の概要】
【発明が解決しようとする課題】
【０００６】
前述したように、庭園灯、燈篭または玄関灯などの照明器具には、光源として白熱電球または電球形蛍光灯が多く使用されている。しかし、白熱電球は寿命が短いため交換などのメンテナンス上の手間がかかる。また、電球形蛍光灯にも点滅耐久性が低いという問題がある。
【０００７】
特許文献１および２には、光源として発光ダイオードを用いた庭園灯などの照明器具が記載されている。しかし、発光ダイオードは、点光源であるためグレアが発生し易いという問題がある。有機ＥＬは面発光光源であるためグレアの問題は起こらないが、有機ＥＬを単独で光源として用いた場合には、用途によっては充分な明るさを得ることができない場合がある。そのため、特許文献３に記載されている庭園灯のように、有機ＥＬを蛍光灯の補助光源手段として用いざるを得ない。
【０００８】
本発明は、上記事情に鑑みてなされたものであり、寿命が長く、点滅耐久性が高く、グレアが生じず、かつ照射光を有効に使うことができる照明器具の提供を目的とする。
【課題を解決するための手段】
【０００９】
本発明に係る照明器具は、少なくとも第１の有機ＥＬパネルと、第２の有機ＥＬパネルと、前記第１の有機ＥＬパネルおよび前記第２の有機ＥＬパネルを収容するハウジングと、前記第１の有機ＥＬパネルおよび前記第２の有機ＥＬパネルを点灯させる点灯回路とを備え、
前記第１の有機ＥＬパネルおよび前記第２の有機ＥＬパネルは、それぞれの発光面が間に空間を挟んで対向する状態で、前記ハウジング内部に配置され、
前記第１の有機ＥＬパネルまたは前記第２の有機ＥＬパネルの、少なくとも一方の有機ＥＬパネルは、光を反射する材質から構成される反射層を備え、
前記少なくとも一方の有機ＥＬパネルの前記反射層は、他方の有機ＥＬパネルの点灯時に、前記他方の有機ＥＬパネルから放射された光を反射することを特徴とする。
【発明の効果】
【００１０】
本発明の照明器具によれば、寿命が長く、点滅耐久性が高く、グレアを生じさせず、かつ照射光を有効に使うことができる。
【図面の簡単な説明】
【００１１】
【図１】本発明の実施の形態１に係る照明器具の構成例を示す斜視図である。
【図２】実施の形態１に係る第１の有機ＥＬパネルの構成例を示す部分断面図である。
【図３】実施の形態１に係る第２の有機ＥＬパネルの構成例を示す部分断面図である。
【図４】本発明の実施の形態２に係る照明器具の構成例を示す斜視図である。
【図５】実施の形態２に係る第１の有機ＥＬパネルの構成例を示す部分断面図である。
【図６】本発明の実施の形態３に係る照明器具の構成例を示す斜視図である。
【図７】本発明の実施の形態の変形例１に係る照明器具の構成例を示す斜視図である。
【図８】本発明の実施の形態の変形例２に係る照明器具の構成例を示す斜視図である。
【図９】本発明の実施の形態の変形例３に係る照明器具の構成例を示す斜視図である。
【発明を実施するための形態】
【００１２】
以下、この発明の実施の形態について図面を参照しながら詳細に説明する。図中同一または相当部分には同一符号を付す。
【００１３】
（実施の形態１）
図１は、本発明の実施の形態１に係る照明器具の斜視図を示す。照明器具１は、支柱２と、点灯回路３と、ハウジング４と、第１の有機エレクトロルミネッセンス（以下、有機ＥＬ）パネル５１ａと、第２の有機ＥＬパネル５１ｂとから構成されている。照明器具１は、庭などに設置される庭園灯である。
【００１４】
支柱２は、庭などに設置する際に照明器具１の土台となる部分であり、内部には点灯回路３が内蔵されている。後に詳説するが、点灯回路３は第１の有機ＥＬパネル５１ａおよび第２の有機ＥＬパネル５１ｂを点灯させるための回路である。また、支柱２の上部にはハウジング４が配置されている。ハウジング４は、直方体の下面が開口したような形状であり、例えば該開口と支柱２の上面が嵌合することによって支柱２の上部に取り付けられる。なお、ハウジング４は、光を透過する材質、例えばガラスまたはアクリルなどで形成されている。
【００１５】
ハウジング４の内部には、第１の有機ＥＬパネル５１ａおよび第２の有機ＥＬパネル５１ｂが収容されている。第１の有機ＥＬパネル５１ａおよび第２の有機ＥＬパネル５１ｂは、有機ＥＬ素子を含む矩形状の面発光光源である。各有機ＥＬパネルは、ハウジング４の下面の開口から挿入され、第１の有機ＥＬパネル５１ａはハウジング４内部の上面に沿って、第２の有機ＥＬパネル５１ｂはハウジング４内部の開口近くの下方に設置される。なお、第１の有機ＥＬパネル５１ａおよび第２の有機ＥＬパネル５１ｂは、それぞれの発光面が間に空間を挟んで対向する状態で設置される。
【００１６】
なお、設置方法は、各有機ＥＬパネルを固定できればどのような方法でも構わない。また、図示していないが、第１の有機ＥＬパネル５１ａおよび第２の有機ＥＬパネル５１ｂには電極部が形成されており、各電極部と前述した点灯回路３とが電気的に接続するよう適宜配線がなされている。
【００１７】
例えば、第１の有機ＥＬパネル５１ａおよび第２の有機ＥＬパネル５１ｂの周縁に形成された電極部と嵌合するように、ハウジング４内部に導電性の材料により凹部を形成する。凹部には配線を行い、点灯回路３と電気的に接続しておく。すると、各有機ＥＬパネルを固定すると同時に電気的な配線も行うことができる。
【００１８】
図２は、実施の形態１に係る第１の有機ＥＬパネルの部分断面図を示す。第１の有機ＥＬパネル５１ａは、基板６と、陰極層７と、有機層８と、陽極層９と、封止層１０とが順次積層され形成されている。なお、図２は、上方がハウジング４上面側であり、下方がハウジング４内部側として描かれている。図３は、実施の形態１に係る第２の有機ＥＬパネルの部分断面図を示す。第２の有機ＥＬパネル５１ｂも、基板６と、陰極層７と、有機層８と、陽極層９と、封止層１０とが順次積層され形成されている。なお、図３は、上方がハウジング４内部側であり、下方がハウジング４下方開口部側として描かれている。
【００１９】
基板６は、例えば、透光性を有するガラス基材から構成される。陰極層７は、例えば、アルミニウム、ナトリウム、リチウム、マグネシウム、カルシウムまたは銀などの光を反射する金属材料から構成される。有機層８は、有機化合物または錯体の１以上の層から構成され、発光層を含む。例えば、陽極層９と接する正孔輸送層、発光材料で形成された発光層、陰極層７と接する電子輸送層等から構成される。また、フッ化リチウム層、無機金属塩の層またはそれらを含有する層などが、任意の位置に形成されていてもよい。発光層は少なくとも一種の発光材から形成され、蛍光発光性化合物または燐光発光性化合物などが用いられる。
【００２０】
陽極層９は、例えばインジウムチンオキサイド（ＩＴＯ）、インジウムジンクオキサイド（ＩＺＯ）、金、酸化スズまたは酸化亜鉛などの導電材料から構成される透明電極が形成された層である。封止層１０は、有機層８を封止して外部雰囲気から遮断するための透湿防止層（ガスバリア層）であり、光透過性を有する材料から形成される。
【００２１】
以下、第１の有機ＥＬパネル５１ａまたは第２の有機ＥＬパネル５１ｂの点灯時について説明する。なお、点灯回路３は、第１の有機ＥＬパネル５１ａまたは第２の有機ＥＬパネル５１ｂを、それぞれ個別に点灯できるよう予め設計されている。
【００２２】
まず、第１の有機ＥＬパネル５１ａを点灯した場合について説明する。外部から電源が供給されると、有機層８中の発光層が発光する。有機層８から発せられた光は、直接陽極層９および封止層１０の側へ、または陰極層７により反射されて、図２の矢印に示すように放射される。前述したように、第１の有機ＥＬパネル５１ａおよび第２の有機ＥＬパネル５１ｂは、それぞれの発光面が間に空間を挟んで対向する状態で設置されている。そのため、図１の矢印に示すように、第１の有機ＥＬパネル５１ａからの光は、第２の有機ＥＬパネル５１ｂに向かって放射され、第２の有機ＥＬパネル５１ｂの陰極層７により反射される。すなわち、第２の有機ＥＬパネル５１ｂの陰極層７が第１の有機ＥＬパネル５１ａからの光の反射層として機能する。そのため、照射光を有効に使うことができ、対向する反射板がない状態で、同じ有機ＥＬパネルを照射する場合よりも明るさが増す。
【００２３】
第２の有機ＥＬパネル５１ｂを点灯した場合についても同様である。有機層８から発せられた光は直接陽極層９および封止層１０の側へ、または陰極層７により反射されて、図３の矢印に示すように放射される。さらに、図１の矢印に示すように、第２の有機ＥＬパネル５１ｂからの光は、第１の有機ＥＬパネル５１ａに向かって放射され、第１の有機ＥＬパネル５１ａの陰極層７により反射される。すなわち、第１の有機ＥＬパネル５１ａの陰極層７が第２の有機ＥＬパネル５１ｂからの光の反射層として機能する。
【００２４】
第１の有機ＥＬパネル５１ａおよび第２の有機ＥＬパネル５１ｂの両方を点灯した場合について説明する。両有機ＥＬパネル５１ａ，５１ｂは、それぞれの発光面が対向する状態で配置されている。したがって、第１の有機ＥＬパネル５１ａおよび第２の有機ＥＬパネル５１ｂの陰極層７は、当該有機ＥＬパネルの有機層８からの光だけでなく、他方の有機ＥＬパネルの有機層８からの光をも反射する。そのため、照射光を有効に使うことができ、対向する反射板がない状態で、同じ有機ＥＬパネルを２つ並べて照射させた場合よりも明るさが増す。さらに、同場合よりも照明器具自体をコンパクトに設計することができる。
【００２５】
本実施の形態１に係る照明器具１では、有機ＥＬパネルを光源として用いている。そのため、白熱電球よりも寿命が長く、電球形蛍光灯よりも点滅耐久性が高く、かつ発光ダイオードよりも柔らかな光を出すことができ、グレアを生じない。
【００２６】
また、本実施の形態１に係る照明器具１では、反射層となる陰極層７を有する２つの有機ＥＬパネルが、それぞれの発光面が対向する状態で、ハウジング４内部に配置されている。そのため、それぞれの有機ＥＬパネルからの照射光を有効に使うことができる。
【００２７】
また、本実施の形態１に係る照明器具１では、有機ＥＬパネルを２つ備え、それぞれ個別に点灯できるよう点灯回路３が設計されており、両有機ＥＬパネル５１ａ，５１ｂ、第１の有機ＥＬパネル５１ａのみ、または、第２の有機ＥＬパネル５１ｂのみの３パターンの照射ができる。そのため、照明器具１の設置場所である庭園などの雰囲気に合わせた照射を楽しむことができる。
【００２８】
（実施の形態２）
本実施の形態２では、第１の有機ＥＬパネル５２ａが両面発光のパネルである場合について述べる。
【００２９】
図４は、本発明の実施の形態２に係る照明器具の斜視図を示す。照明器具１は、支柱２と、点灯回路３と、ハウジング４と、第１の有機ＥＬパネル５２ａと、第２の有機ＥＬパネル５２ｂとから構成されている。支柱２、点灯回路３およびハウジング４については実施の形態１と同様である。また、各有機ＥＬパネルのハウジング４内での配置場所についても実施の形態１と同様である。
【００３０】
図５は、実施の形態２に係る第１の有機ＥＬパネルの部分断面図を示す。第１の有機ＥＬパネル５２ａは、基板６と、陰極層７と、有機層８と、陽極層９と、封止層１０とが順次積層され形成されている。なお、図５は、上方がハウジング４上面側であり、下方がハウジング４内部側として描かれている。基板６、有機層８、陽極層９および封止層１０の材料などの詳細については実施の形態１と同様である。
【００３１】
本実施の形態２では、陰極層７は、陽極層９と同様に、インジウムチンオキサイド（ＩＴＯ）、インジウムジンクオキサイド（ＩＺＯ）、金、酸化スズまたは酸化亜鉛などの導電材料から構成される透明電極が形成された層である。すなわち、第１の有機ＥＬパネル５２ａは両面発光のパネルである。なお、第２の有機ＥＬパネル５２ｂについては、図３に示す実施の形態１の第２の有機ＥＬパネル５１ｂの構造と同一であり、陰極層７は光を反射する金属材料などから構成される。
【００３２】
以下、第１の有機ＥＬパネル５２ａまたは第２の有機ＥＬパネル５２ｂの点灯時について説明する。なお、点灯回路３は、第１の有機ＥＬパネル５２ａまたは第２の有機ＥＬパネル５２ｂを、それぞれ個別に点灯できるよう予め設計されている。
【００３３】
第１の有機ＥＬパネル５２ａを点灯した場合について説明する。外部から電源が供給されると、有機層８中の発光層が発光する。前述したように、本実施の形態２では陰極層７は透明電極層である。そのため、図５の矢印に示すように、有機層８から発せられた光は陽極層９および封止層１０の側へ、または陰極層７および基板６の側へ放射される。実施の形態１と同様に、陽極層９および封止層１０の側へ放射された光は、第２の有機ＥＬパネル５２ｂに向かって放射され、第２の有機ＥＬパネル５２ｂの陰極層７により反射される。
【００３４】
すなわち、第２の有機ＥＬパネル５２ｂの陰極層７が第１の有機ＥＬパネル５２ａからの光の反射層として機能する。その結果、照射光を有効に使うことができ、対向する反射板がない状態で、同じ有機ＥＬパネルを照射する場合よりも明るさが増す。また、図４の矢印に示すように、陰極層７および基板６の側から放射された光は、照明器具１の上面から透過する。そのため、照明器具１の上方へも光を照射することができる。
【００３５】
第２の有機ＥＬパネル５２ｂを点灯した場合について説明する。前述したとおり、第２の有機ＥＬパネル５２ｂについては、図３に示す実施の形態１の第２の有機ＥＬパネル５１ｂの構造と同一である。有機層８から発せられた光は、直接陽極層９および封止層１０の側へ、または陰極層７により反射されて、図３の矢印に示すように放射される。第１の有機ＥＬパネル５２ａは両面発光のパネルであるのに対し、第２の有機ＥＬパネル５２ｂは実施の形態１と同様に片面発光のパネルである。
【００３６】
さらに、図４の矢印に示すように、第２の有機ＥＬパネル５２ｂからの光は、第１の有機ＥＬパネル５２ａに向かって放射される。第１の有機ＥＬパネル５２ａの陰極層７は透明電極層であるため、反射されず光は透過する。その結果、照明器具１の上方へも光を照射することができる。
【００３７】
第１の有機ＥＬパネル５２ａおよび第２の有機ＥＬパネル５２ｂの両方を点灯する場合について説明する。第２の有機ＥＬパネル５２ｂの陰極層７は、当該第２の有機ＥＬパネル５２ｂの有機層８からの光だけでなく、第１の有機ＥＬパネル５２ａの有機層８からの光をも反射する。そのため、照射光を有効に使うことができ、対向する反射板がない状態で、同じ有機ＥＬパネルを２つ並べて照射させた場合よりも明るさが増す。さらに、同場合よりも照明器具自体をコンパクトに設計することができる。また、第１の有機ＥＬパネル５２ａの陰極層７は透明電極層であるため、光を透過し、照明器具１の上方へも光を照射することができる。
【００３８】
本実施の形態２に係る照明器具１では、有機ＥＬパネルを光源として用いている。そのため、白熱電球よりも寿命が長く、電球形蛍光灯よりも点滅耐久性が高く、かつ発光ダイオードよりも柔らかな光を出すことができ、グレアを生じない。
【００３９】
本実施の形態２に係る照明器具１では、透明電極層である陰極層７を有する第１の有機ＥＬパネル５２ａと、反射層となる陰極層７を有する第２の有機ＥＬパネル５２ｂとが、それぞれの発光面が対向する状態で、ハウジング４内部に配置されている。そのため、第１の有機ＥＬパネル５２ａからの照射光を有効に使うことができる。かつ、照明器具１の上方へも光を照射することができる。
【００４０】
また、本実施の形態２に係る照明器具１では、有機ＥＬパネルを２つ備え、それぞれ個別に点灯できるよう点灯回路３が設計されており、両有機ＥＬパネル５２ａ，５２ｂ、第１の有機ＥＬパネル５２ａのみ、または、第２の有機ＥＬパネル５２ｂのみの３パターンの照射ができる。そのため、照明器具１の設置場所である庭園などの雰囲気に合わせた照射を楽しむことができる。
【００４１】
（実施の形態３）
本実施の形態３では、有機ＥＬパネルを４枚用いる場合について述べる。
【００４２】
図６は、本発明の実施の形態３に係る照明器具の斜視図を示す。照明器具１は、支柱２と、点灯回路３と、ハウジング４と、第１の有機ＥＬパネル５３ａと、第２の有機ＥＬパネル５３ｂと、第３の有機ＥＬパネル５３ｃと、第４の有機ＥＬパネル５３ｄとから構成されている。支柱２、点灯回路３およびハウジング４については実施の形態１と同様である。また、各有機ＥＬパネルのハウジング４内での配置場所については、第１の有機ＥＬパネル５３ａはハウジング４内部の上面に沿って、第２の有機ＥＬパネル５３ｂはハウジング４の開口部近くの下方に設置される。第３の有機ＥＬパネル５３ｃまたは第４の有機ＥＬパネル５３ｄは、その間に挟まれた空間に、それぞれの発光面が対向する状態で設置される。
【００４３】
第１の有機ＥＬパネル５３ａは、図２に示す実施の形態１の第１の有機ＥＬパネル５１ａの構造と同一である。第２の有機ＥＬパネル５３ｂは、図３に示す実施の形態１の第２の有機ＥＬパネル５１ｂの構造と同一である。両有機ＥＬパネル５３ａ，５３ｂの陰極層７は光を反射する金属材料などから構成される。
【００４４】
一方、第３の有機ＥＬパネル５３ｃおよび第４の有機ＥＬパネル５３ｄは、図５に示す実施の形態２の第１の有機ＥＬパネル５２ａの構造と同一である。両有機ＥＬパネル５３ｃ，５３ｄの陰極層７は透明電極層である。以下、各有機ＥＬパネルの点灯時について説明する。なお、点灯回路３は、各有機ＥＬパネルを、それぞれ個別に点灯できるよう予め設計されている。
【００４５】
第１の有機ＥＬパネル５３ａを点灯した場合について説明する。有機層８から発せられた光は、直接陽極層９および封止層１０の側へ、または陰極層７により反射されて、図２の矢印に示すように放射される。図６の矢印に示すように、第１の有機ＥＬパネル５３ａからの光は、第３の有機ＥＬパネル５３ｃおよび第４の有機ＥＬパネル５３ｄを透過する。さらに、透過した光は第２の有機ＥＬパネル５３ｂの陰極層７に反射される。その結果、照射光を有効に使うことができ、対向する反射板がない状態で、同じ有機ＥＬパネルを照射する場合よりも明るさが増す。
【００４６】
第２の有機ＥＬパネル５３ｂを点灯した場合も同様である。有機層８から発せられた光は、直接陽極層９および封止層１０の側へ、または陰極層７により反射されて、図３の矢印に示すように放射される。図６の矢印に示すように、第２の有機ＥＬパネル５３ｂからの光は、第４の有機ＥＬパネル５３ｄおよび第３の有機ＥＬパネル５３ｃを透過する。さらに、透過した光は第１の有機ＥＬパネル５３ａの陰極層７に反射される。その結果、照射光を有効に使うことができ、対向する反射板がない状態で、同じ有機ＥＬパネルを照射する場合よりも明るさが増す。
【００４７】
第３の有機ＥＬパネル５３ｃまたは第４の有機ＥＬパネル５３ｄを点灯した場合について説明する。図５の矢印に示すように、有機層８から発せられた光は陽極層９および封止層１０の側へ、または陰極層７および基板６の側へ放射される。図６の矢印に示すように、両有機ＥＬパネルからの光は、第３の有機ＥＬパネル５３ｃまたは第４の有機ＥＬパネル５３ｄを透過した後に、もしくは直接に、第１の有機ＥＬパネル５３ａまたは第２の有機ＥＬパネル５３ｂの陰極層７に反射される。その結果、照射光を有効に使うことができ、対向する反射板がない状態で、同じ有機ＥＬパネルを照射する場合よりも明るさが増す。
【００４８】
本実施の形態３に係る照明器具１では、有機ＥＬパネルを光源として用いている。そのため、白熱電球よりも寿命が長く、電球形蛍光灯よりも点滅耐久性が高く、かつ発光ダイオードよりも柔らかな光を出すことができ、グレアを生じない。
【００４９】
本実施の形態３に係る照明器具１では、反射層となる陰極層７を有する第１の有機ＥＬパネル５３ａおよび第２の有機ＥＬパネル５３ｂと、透明電極層である陰極層７を有する第３の有機ＥＬパネル５３ｃと第４の有機ＥＬパネル５３ｄとを、それぞれの発光面が対向する状態で、ハウジング４内部に配置されている。そのため、各有機ＥＬパネルからの照射光を有効に使うことができる。
【００５０】
また、本実施の形態３に係る照明器具１では、有機ＥＬパネルを４つ備え、それぞれ個別に点灯できるよう点灯回路３が設計されており、多数のパターンの照射ができる。そのため、照明器具１の設置場所である庭園などの雰囲気に合わせた照射を楽しむことができる。
【００５１】
本実施の形態に係る照明器具１、各有機ＥＬパネルおよびハウジング４の形状は一例であり、図に示した形状に限られない。特に、各有機ＥＬパネルおよびハウジング４の形状は、円形、多角形、楕円形、これらの立体形状またはその他いずれの形状であっても適用でき、各有機ＥＬパネルの形状が同一形状でなくてもよい。さらに、ハウジング４の形状は、１面が開口した直方体形状でなくとも、２つの有機ＥＬパネルを空間を挟んで収容できる形状であればよく、例えば筒状の囲いのような形状でも構わない。また、有機ＥＬパネルの位置・数、または片面発光のパネルと両面発光のパネルとの組み合わせについても図に示した形態に限られない。
【００５２】
図７は、本発明の実施の形態の変形例１に係る照明器具の斜視図を示す。有機ＥＬパネルの形状については、実施の形態１ないし３では水平な面の矩形状のパネルの場合について述べたが、パネルが屈曲していても構わない。屈曲していても２つの有機ＥＬパネルの主たる面が対向し、一方の有機ＥＬパネルが有する陰極層７が、他方の有機ＥＬパネルからの光を反射できればよい。照明器具１は、支柱２と、点灯回路３と、ハウジング４と、第１の有機ＥＬパネル５４ａと、第２の有機ＥＬパネル５４ｂとから構成されている。
【００５３】
図７に示すように、第１の有機ＥＬパネル５４ａまたは第２の有機ＥＬパネル５４ｂは、ハウジング４内部に向かって湾曲した矩形状の有機ＥＬパネルである。両有機ＥＬパネル５４ａ，５４ｂの積層構造については、図１ないし図３に示す実施の形態１と同様である。なお、有機ＥＬパネルを湾曲させるため、有機ＥＬパネルの基板６には、ポリエチレンテレフタレート（ＰＥＴ）またはポリエチレンナフタレート（ＰＥＮ）などの透光性を有するフレキシブルなフィルム状の基材を用いる。
【００５４】
第１の有機ＥＬパネル５４ａまたは第２の有機ＥＬパネル５４ｂを点灯すると、図７の矢印に示すように、湾曲した面から光が照射される。照射された光のうち他方の有機ＥＬパネルに向かった光は、該有機ＥＬパネルの陰極層７に反射される。そのため、照射光を有効に使うことができ、対向する反射板がない状態で、同じ有機ＥＬパネルを照射する場合よりも明るさが増す。また、一部の光は直接ハウジング４外部に照射される。このように、光の照射方向を変化させることができ、水平面の有機ＥＬパネルを用いる場合とは異なる照明の雰囲気を楽しむことができる。
【００５５】
図８は、本発明の実施の形態の変形例２に係る照明器具の斜視図を示す。照明器具１の形状については、実施の形態１ないし３ではスタンド型の庭園灯の場合について述べたが、どのような形状の照明器具１でも適用できる。照明器具１は、玄関などの壁に設置される照明器具であり、支柱２と、ハウジング４と、傘部材１１と、第１の有機ＥＬパネル５５ａと、第２の有機ＥＬパネル５５ｂとから構成されている。図示していないが、点灯回路３は例えば壁面内部または傘部材１１に内蔵されている。
【００５６】
支柱２は壁面に固定されており、ハウジング４を支えている。ハウジング４は下面の大きさが上面の大きさよりも小さく、テーパ状となっている。このように各有機ＥＬパネルの大きさ・形状が異なる場合でも、本発明を適用することができる。また、傘部材１１はハウジング４上部に配置されている。この場合には、ハウジング４内部上方の有機ＥＬパネル（第１の有機ＥＬパネル５５ａ）を、図２に示す構造の片面発光のパネルとする方が適している。ハウジング４内部下方の有機ＥＬパネル（第２の有機ＥＬパネル５５ｂ）は、図８では図３に示す構造の片面発光のパネルとして描いているが、下面から光が透過するよう図５に示す構造の両面発光のパネルとしてもよい。このように、スタンド型庭園灯照明以外でも、玄関灯照明、埋込型照明さらには携帯型照明などのその他の一般照明にも適用できる。
【００５７】
図９は、本発明の実施の形態の変形例３に係る照明器具の斜視図を示す。有機ＥＬパネルの位置については、実施の形態１ないし３ではハウジング４内部の上方（上面に沿って）または下方に配置されている場合について述べたが、両有機ＥＬパネルのそれぞれの発光面が間に空間を挟んで対向する状態で配置されていればどのような位置でも構わない。照明器具１は、玄関などの壁に設置される照明器具であり、支柱２と、ハウジング４と、第１の有機ＥＬパネル５６ａと、第２の有機ＥＬパネル５６ｂとから構成されている。図示していないが、点灯回路３は例えば壁面内部または支柱２に内蔵されている。
【００５８】
第１の有機ＥＬパネル５６ａは図５に示す構造の両面発光のパネルであり、ハウジング４内部の１つの側面に沿って配置されている。第２の有機ＥＬパネル５６ｂは図２または図３に示す構造の片面発光のパネルであり、ハウジング４内部の前述した側面に対向する側面に沿って配置されている。このように、各有機ＥＬパネルの配置は、それぞれの発光面が間に空間を挟んで対向する状態で配置されていればどのような位置でも構わない。
【００５９】
本実施の形態１ないし３では陰極層７が反射層としても機能する場合について述べたが、陰極層７とは別に光を反射する材質から構成される層を備えてもよい。また、点灯回路３は、各有機ＥＬパネルを同時にのみ点灯できるよう設計されていてもよい。さらに、供給する電流を変化させ、有機ＥＬパネルから発せされる光を調光できるよう点灯回路３が設計されていてもよい。また、各有機ＥＬパネルから発せられる光の色を変化させてもよい。
【００６０】
本実施の形態１ないし３では、両有機ＥＬパネルの構造がトップエミッション型の場合について述べたが、ボトムエミッション型でも構わない。
【００６１】
発明の実施の形態について説明したが、本発明は上述した実施の形態に限定されることはなく、本発明の範囲内で種々の実施形態が可能である。
【００６２】
その他、本発明の好適な変形として、以下の構成が含まれる。
【００６３】
本発明に係る照明器具について、好ましくは、前記第１の有機ＥＬパネルおよび前記第２の有機ＥＬパネルは、少なくとも基板と、陰極層と、有機層と、陽極層と、封止層とを備え、
前記反射層は、前記陰極層であることを特徴とする。
【００６４】
また、好ましくは、前記第１の有機ＥＬパネルおよび前記第２の有機ＥＬパネルは、いずれも前記反射層を備えることを特徴とする。
【００６５】
さらに好ましくは、前記第１の有機ＥＬパネルまたは前記第２の有機ＥＬパネルは、前記ハウジング内部の上方または下方に配置されることを特徴とする。
【００６６】
また、好ましくは、前記点灯回路は、前記第１の有機ＥＬパネルまたは前記第２の有機ＥＬパネルを、それぞれ個別に点灯できるよう設計されていることを特徴とする。
【００６７】
さらに好ましくは、該照明器具は、庭園灯、玄関灯または燈篭であることを特徴とする。
【符号の説明】
【００６８】
１    照明器具
２    支柱
３    点灯回路
４    ハウジング
５１ａ，５２ａ，５３ａ，５４ａ，５５ａ，５６ａ  第１の有機ＥＬパネル
５１ｂ，５２ｂ，５３ｂ，５４ｂ，５５ｂ，５６ｂ  第２の有機ＥＬパネル
５３ｃ  第３の有機ＥＬパネル
５３ｄ  第４の有機ＥＬパネル
６    基板
７    陰極層
８    有機層
９    陽極層
１０    封止層
１１    傘部材
【図１】
2011009385.tif 000003
【図２】
2011009385.tif 000004
【図３】
2011009385.tif 000005
【図４】
2011009385.tif 000006
【図５】
2011009385.tif 000007
【図６】
2011009385.tif 000008
【図７】
2011009385.tif 000009
【図８】
2011009385.tif 000010
【図９】
2011009385.tif 000011